(57)【特許請求の範囲】
【請求項１】
プロセッサと、
前記プロセッサと結合されたメモリであって、前記プロセッサによって実行されると、
第１のスポーツ器具の動作を示す第１のデータを受信することと、
前記第１のデータを表示可能情報として更なる送信を行うために処理することと、
ウェアラブル装置上での表示のために前記表示可能情報を提供することと、
を含む動作を前記プロセッサに実施させる実行可能命令を含む、メモリと、
を備える、装置であって、
前記動作は、
モバイル装置又は前記ウェアラブル装置の使用期間、日付、又はロケーションに基づいてオフモードに入ることの命令を提供すること、
を更に含み、
前記オフモードは、前記モバイル装置又は前記ウェアラブル装置が第２のデータをまだ受信又は送信している間、前記モバイル装置又は前記ウェアラブル装置が前記第２のデータを表示することを防止するスリープモードを含み、該第２のデータは、前記モバイル装置又は前記ウェアラブル装置が前記オフモードにある間の前記第１のスポーツ器具の動作を示す、
装置。
【請求項２】
前記オフモードに入る前記命令は、前記ウェアラブル装置及びモニター装置に提供され、該モニター装置は、前記第１のデータ及び前記第２のデータを取得する、
請求項１に記載の装置。
【請求項３】
プロセッサと、
前記プロセッサと結合されたメモリであって、前記プロセッサによって実行されると、
第１のスポーツ器具の動作を示す第１のデータを受信することと、
前記第１のデータを表示可能情報として更なる送信を行うために処理することと、
ウェアラブル装置上での表示のために前記表示可能情報を提供することと、
を含む動作を前記プロセッサに実施させる実行可能命令を含む、メモリと、
を備える、装置であって、
前記第１のデータは、前記第１のスポーツ器具と関連付けられたモニター装置からのものであることを示し、該モニター装置はオフモードを備え、該オフモードは、前記モニター装置が前記第１のデータをまだ受信又は送信している間、前記表示可能情報が表示されることを防止するスリープモードを含む、
装置。
【請求項４】
前記第１のスポーツ器具は、ゴルフクラブ、テニスラケット、スカッシュラケット、ラケットボールラケット、野球バット、ソフトボールバット、クリケットバット、ホッケースティック、スポーツシューズ、ボール、パック、ボクシンググローブ、スポーツ衣類、又はラクロススティックを含む群から選択される、
請求項１から３のいずれか１項に記載の装置。
【請求項５】
前記表示可能情報は、前記第１のスポーツ器具の速度、加速度、又は減速度のうちの少なくとも１つを含む、
請求項１から３のいずれか１項に記載の装置。
【請求項６】
前記表示可能情報は、前記第１のスポーツ器具のアタック角、方位角、インパクト、スイングの長さ、又はスイング軌道のうちの少なくとも１つを含む、
請求項１から３のいずれか１項に記載の装置。
【請求項７】
前記装置は、モバイル装置、前記ウェアラブル装置、又はモニター装置のうちの少なくとも１つである、
請求項１から３のいずれか１項に記載の装置。
【請求項８】
前記第１のデータは、前記第１のスポーツ器具が第２のスポーツ器具をインパクトすることを示し、前記第２のスポーツ器具は、前記第１のスポーツ器具が前記第２のスポーツ器具をインパクトすることを収集するモニター装置を備える、
請求項１から３のいずれか１項に記載の装置。
【請求項９】
前記第１のスポーツ器具は、ゴルフクラブ、テニスラケット、スカッシュラケット、ラケットボールラケット、野球バット、ソフトボールバット、クリケットバット、ホッケースティック、スポーツシューズ、ボクシンググローブ、スポーツ衣類、又はラクロススティックを含む群から選択され、
前記第２のスポーツ器具は、ゴルフボール、テニスボール、スカッシュボール、ラケットボール、野球のボール、ソフトボール、クリケットボール、ホッケーパック、サッカーボール、フットボール、パンチバッグ、及びラクロスボールを含む群から選択される、
請求項８に記載の装置。
【請求項１０】
モバイル装置又は前記ウェアラブル装置は、第２のデータを受信又は送信するように構成され、
前記第２のデータは、前記第２のスポーツ器具の速度、加速度、減速度、圧縮、スピン速度、打ち出し角、方位角、スピン方向、ロケーション、高度、キャリー距離、ロール距離、飛距離、及び飛翔軌道のうちの少なくとも１つを含む、
請求項９に記載の装置。
【請求項１１】
モバイル装置又は前記ウェアラブル装置は、第２のデータを受信又は送信するように構成され、
前記第２のデータは、前記ウェアラブル装置上に第２の表示可能情報として表示される、
請求項８に記載の装置。
【請求項１２】
プロセッサと、
前記プロセッサと結合されたメモリであって、前記プロセッサによって実行されると、
スポーツ器具の動作を示す第１のデータを受信することと、
前記第１のデータを表示可能情報として更なる送信を行うために処理することと、
前記表示可能情報を表示する命令を提供することと、
を含む動作を前記プロセッサに実施させる実行可能命令を含む、メモリと、
を備える、ウェアラブル装置であって、
前記動作は、
前記ウェアラブル装置のロケーション及び／又は使用期間に基づいてオフモードに入ることの命令を提供すること、
を更に含む、
ウェアラブル装置。
【請求項１３】
前記オフモードに入ることの前記命令は、モバイル装置及びモニター装置に提供され、該モニター装置は、前記第１のデータを取得する、
請求項１２に記載のウェアラブル装置。
【請求項１４】
プロセッサと、
前記プロセッサと結合されたメモリであって、前記プロセッサによって実行されると、
スポーツ器具の動作を示す第１のデータを受信することと、
前記第１のデータを表示可能情報として更なる送信を行うために処理することと、
前記表示可能情報を表示する命令を提供することと、
を含む動作を前記プロセッサに実施させる実行可能命令を含む、メモリと、
を備える、ウェアラブル装置であって、
前記動作は、
前記ウェアラブル装置又はモバイル装置の使用期間、日付、又はロケーションに基づいてオフモードに入る命令を提供すること、
を更に含み、
前記オフモードは、前記モバイル装置又は前記ウェアラブル装置が第２のデータをまだ受信又は送信している間、前記モバイル装置又は前記ウェアラブル装置が第２のデータを表示することを防止するスリープモードを含み、該第２のデータは、前記オフモードにおける前記スポーツ器具の動作を示す、
ウェアラブル装置。
【請求項１５】
プロセッサと、
前記プロセッサと結合されたメモリであって、前記プロセッサによって実行されると、
スポーツ器具の動作を示す第１のデータを受信することと、
前記第１のデータを表示可能情報として更なる送信を行うために処理することと、
前記表示可能情報を表示する命令を提供することと、
を含む動作を前記プロセッサに実施させる実行可能命令を含む、メモリと、
を備える、ウェアラブル装置であって、
前記第１のデータは、前記スポーツ器具のモニター装置からのものであることを示し、該モニター装置はオフモードを備え、該オフモードは、モバイル装置が前記第１のデータをまだ受信している間、前記モバイル装置が前記表示可能情報を表示することを防止するスリープモードを含む、
ウェアラブル装置。
【請求項１６】
プロセッサと、
前記プロセッサと結合されたメモリであって、前記プロセッサによって実行されると、
スポーツ器具の動作を示す第１のデータを受信することと、
前記第１のデータを表示可能情報として更なる送信を行うために処理することと、
前記表示可能情報を表示する命令を提供することと、
を含む動作を前記プロセッサに実施させる実行可能命令を含む、メモリと、
を備える、ウェアラブル装置であって、
前記動作は、
モニター装置が、或るロケーションにいる間、スリープモード又はアクティブモードにされていることの表示を提供すること、
を更に含む、
ウェアラブル装置。
【請求項１７】
前記スポーツ器具は、ゴルフクラブ、テニスラケット、スカッシュラケット、ラケットボールラケット、野球バット、ソフトボールバット、クリケットバット、ホッケースティック、スポーツシューズ、ボール、パック、ボクシンググローブ、スポーツ衣類、又はラクロススティックを含む群から選択される、
請求項１２から１６のいずれか１項に記載のウェアラブル装置。
【請求項１８】
前記動作は、
前記スポーツ器具の前記動作が所定の運動軌道と実質的に一致していること又は所定の運動軌道から実質的にずれていることに対応する触覚検知フィードバックを提供すること、
を更に含む、
請求項１２から１６のいずれか１項に記載のウェアラブル装置。
【請求項１９】
スポーツ器具と関連付けられたモニター装置であって、
プロセッサと、
前記プロセッサと結合されたメモリであって、前記プロセッサによって実行されると、
前記スポーツ器具の動作を示す第１のデータを受信することと、
前記モニター装置と関連付けられた基準に基づいてオフモードに入ることの命令を受信することと、
を含む動作を前記プロセッサに実施させる実行可能命令を含む、メモリと、
を備え、
前記オフモードは、前記モニター装置又はウェアラブル装置が前記第１のデータをまだ受信又は送信している間、１つ又は複数の装置が前記第１のデータを表示することを防止するスリープモードを含む、モニター装置。
【請求項２０】
前記１つ又は複数の装置は、前記ウェアラブル装置、モバイル装置、又は前記モニター装置のうちの少なくとも１つを含む、
請求項１９に記載のモニター装置。
【請求項２１】
前記基準は、前記モニター装置のロケーション又は日付を含む、
請求項１９に記載のモニター装置。
【請求項２２】
前記基準は、前記スポーツ器具のロケーション及びタイプを含む、
請求項１９に記載のモニター装置。
【請求項２３】
前記動作は、
前記オフモードに入ることの前記命令に基づいて前記第１のデータの無線送信を防止すること、
を更に含む、
請求項１９に記載のモニター装置。
【請求項２４】
前記動作は、
前記オフモードに入る前記受信された命令に応答して、前記第１のデータに基づく出力を表示しない命令を前記１つ又は複数の装置に提供すること、
を更に含む、
請求項１９に記載のモニター装置。
【請求項２５】
前記動作は、
前記オフモードに入る前記受信された命令に応答して、前記第１のデータに基づく出力を送信しない命令を前記１つ又は複数の装置に提供すること、
を更に含む、
請求項１９に記載のモニター装置。
【請求項２６】
前記スポーツ器具は、ゴルフクラブ、テニスラケット、スカッシュラケット、ラケットボールラケット、野球バット、ソフトボールバット、クリケットバット、ホッケースティック、スポーツシューズ、ボール、パック、ボクシンググローブ、スポーツ衣類、又はラクロススティックを含む群から選択される、
請求項１９に記載のモニター装置。
【請求項２７】
前記モニター装置は、前記スポーツ器具の動作に応答して、前記第１のデータを、記憶、処理、送信、及び表示のうちの１つ又は複数のために前記モニター装置から計算装置にアップロードするために、有線接続を受け取るように構成されたポートを備える、
請求項１９に記載のモニター装置。
【請求項２８】
プロセッサと、
前記プロセッサと結合されたメモリであって、前記プロセッサによって実行されると、
スポーツ器具の動作を示す第１のデータを受信することと、
モニター装置と関連付けられた基準に基づいてオフモードに入ることの命令を受信することと、
を含む動作を前記プロセッサに実施させる実行可能命令を含む、メモリと、
を備え、
前記オフモードは、前記モニター装置が前記第１のデータをまだ受信している間、１つ又は複数の装置が前記第１のデータを送信又は受信することを防止するスリープモードを含む、装置。
【請求項２９】
前記１つ又は複数の装置は、モバイル装置又はウェアラブル装置を含む、
請求項２８に記載の装置。
【請求項３０】
前記装置は、ウェアラブル装置又は前記モニター装置である、
請求項２８に記載の装置。
【請求項３１】
前記動作は、
前記装置のロケーションを記録することと、
前記装置が前記ロケーションにいる間に前記オフモードにある持続時間を記録することと、
を更に含む、
請求項２８に記載の装置。
【発明の詳細な説明】
【背景技術】
【０００１】
全てのスポーツにおける全ての技能レベルのスポーツ愛好家は、Ｔｈｅ  Ｊｏｕｒｎｅｙ  ｔｏ  Ｂｅｔｔｅｒ（商標）の向上への道筋に沿って進みながら自己の能力向上に絶えず奮闘している。これは、マスターするのが困難であり、また、一度マスターしても技能レベルを維持するのが困難であるゴルフ等のスポーツに特に当てはまる。
【０００２】
この理由によって、スポーツ愛好家は、自己のゲームを改善する努力の一環として、ゴルファーのスイング軌道等の愛好家に固有の情報を測定して表示するのに用いられるモニター装置の使用を含む技術革新に取り掛かってきた。ゴルファー及びゴルフクラブ用具製造業者は、ゴルファーのスイングを評価するのに、センサー及びモニターをますます頼りにするようになっている。センサー及びモニターは、クラブヘッドスピード、アタック角、打ち出し角、ゴルフボールスピン速度及びスピン方向等の条件を追跡することができる。そして、ゴルフクラブ調整を専門にするアウトレットを含む、ゴルフクラブ用具の販売業者は、見込購入者が、自身の特定のゴルフスイング特性に最もよく適合したゴルフクラブを選択するのを助けるために、そのようなセンサー及びモニターをますます頼りにしている。
【０００３】
市販されている１つのそのようなモニター装置は、イリノイ州シカゴのSwingbyte, LLC社（前Swingbyte, Inc.社）から入手可能な「ＳＢ２」センサーである。そのようなセンサーは、引用することによってその全体が本明細書の一部をなす米国特許第８，６９６，４８２号に記載されているように、通常、例えば、クランプ機構を用いてゴルフクラブのシャフトに取り外し可能に取り付けられるか、又は例えば、接着剤を用いてシャフトに固定される。２０１４年１２月９日に出願された同時係属中の米国特許出願第１４／５６４，９３３号によって現在知られているように、モニター装置は、ゴルフクラブのヘッド、シャフト、及び／又はグリップ等のスポーツ器具内に配置することもできる。上記同時係属中の米国特許出願は、本出願の譲受人に譲渡されており、引用することによってその全体が本明細書の一部をなす。
【０００４】
そのようなモニター装置は、「３次元ゴルフスイングアナライザー」とも呼ばれ、慣性測定ユニット（ＩＭＵ）として機能し、通常、例えば、線形加速度データを生成して送信することが可能な３軸加速度計と、角速度データを生成して送信することが可能な３軸ジャイロスコープと、これらの加速度計及びジャイロスコープからデータを受信してそのデータを処理する第１のマイクロプロセッサと、このマイクロプロセッサが処理されたデータを記憶する第１のコンピューターメモリと、この第１のコンピューターメモリからの処理されたデータを送信する無線送信機とを備える。これらの加速度計及びジャイロスコープには、微小電気機械システム（ＭＥＭＳ：microelectromechanical systems）技術を用いることができる。モニター装置は通常、電池又は他の適した電源によって電力を供給される。マイクロプロセッサ、加速度計、ジャイロスコープ、コンピューターメモリ、無線送信機、及び電池を保持するためにハウジングを用いることができる。
【０００５】
そのようなモニター装置は、グリップの下方若しくはキャップ上のいずれかにおいてゴルフクラブに当該モニター装置を取り付けることによって、又はシャフト若しくはヘッド内にセンサーを組み込むことによって、ゴルフスイング（又は他のスポーツ器具運動）データを取得して解析する。ショット後又はゴルフクラブ（又は他のスポーツ器具）のスイング後に、プレーヤー及びインストラクターは、インパクト時のクラブヘッドのスピード、軌道、プレーン及び種々の角度等の重要なメトリックとともに、スイングのインタラクティブな３次元アニメーションを見ることができる。ゴルフクラブヘッドはインパクト時に激しく振動する傾向があり、それにより、モニター装置がスイング特性を測定する試みを阻害する可能性があることから、そのようなモニター装置はヘッドから遠隔の位置に固定することが好ましい場合がある。そのようなモニター装置は、送信機を用いて、スポーツ器具のスイング、例えばゴルフクラブのスイングを規定する処理された線形運動データ及び角運動データを、スマートフォン、タブレットコンピューター、又はラップトップコンピューター等のモバイル装置上の受信機に送信することができる。モバイル装置上で動作しているコンピュータープリケーションは、これらの処理されたデータを受信し、これらのデータを更に処理して、スイングの点ごとの包括的な統計とともに、スイング全体のグラフィカル表現を表示することができる。ゴルファー又は他のスポーツ器具のユーザーをそのスイングに関して指導するために、これらの処理されたデータは、記憶して、後に理論データとともに用いることができる。
【０００６】
「モニター装置」という用語は、本明細書で用いられるとき、次の機能、すなわち、線形加速度データ及び／又は角速度データ等の運動データの送信及び／又は生成、そのようなタイプの運動データのうちの１つ又は複数の受信及び／又は処理、そのような処理されたデータの記憶、及び／又は処理されたデータの送信のうちの１つ又は複数を実行するように構成された装置を意味するように意図されており、前述したＳＢ２モニター装置等の装置を含むが、これに限定されるものではない。
【０００７】
「ウェアラブル装置」という用語は、本明細書で用いられるとき、ユーザーが通常装着し、ユーザーがハンズフリーで容易に見ることが可能なディスプレイを備える装置を意味するように意図されており、Ａｐｐｌｅ（商標）Ｗａｔｃｈ及びＧｏｏｇｌｅ  Ｇｌａｓｓ（商標）装置を含むが、これらに限定されない腕時計又はヘッドアップディスプレイ等である。加えて、ウェアラブル装置は、ゴルフクラブに対するグリップ圧力を捕捉して、この情報を中継してユーザーに戻すことができるモニター装置を有するゴルフグローブを含むことができ、http://shop.sensoglove.comにおいて入手可能なＳｅｎｓｏＧｌｏｖｅ（商標）製品に見られるもの等である。この技術は、グローブのみを利用して、上記情報を収集及び表示するものであり、例えばモバイル装置へのデータの送信を必要としない。
【０００８】
「モバイル装置」という用語は、本明細書で用いられるとき、ユーザーが通常装着しない（又は、例えば、ホルスターに装着される場合には、装着されている間、ユーザーが容易に見ることができないディスプレイを有する）装置を意味するように意図されており、ウェアラブル装置及び／又はモニター装置と通信するように構成可能なスマートフォン、タブレットコンピューター、又はラップトップコンピューター等である。
【０００９】
スポーツ愛好家、特にゴルファーが直面している実際の問題のうちの１つは、モニター装置を無効化するか又はこれらのモニター装置が関連付けられているスポーツ器具から取り外す必要があるということである。例えば、ＵＳＧＡは、プレーされているラウンドを、ＵＳＧＡハンディキャップの目的又はＰＧＡツアー及びアマチュアトーナメントの双方を含む競技目的のいずれかでカウントするために、「コース上」でのモニター装置の使用を認めていない。このため、モニター装置が自身のゴルフクラブと関連付けられているいずれのプレーヤーも、ゴルフのラウンドのプレーに先立って、そのラウンドがＵＳＧＡルールの下で不適格とされないようにこの装置を取り外すことが必要である。そのような装置がゴルフクラブシャフトに単にクリップされているだけであるか又は１つのクラブにしか用いられていない場合、その装置を無効化するか又は取り外すことは取るに足りない問題であり得るが、ゴルファーのクラブの全て（１４本がＵＳＧＡの限度である）がそのような装置を装備している場合、又はそのような装置がシャフトに取り外し可能に取り付けられておらず、グリップ内において、例えばネジ式の取り外しキャップの下に収容されている場合、若しくは、例えば、上述した米国特許出願第１４／５６４，９３３号の教示によるクラブヘッド内に収容されている場合には、そのような取り外し又は無効化はより煩雑なものとなる。
【００１０】
その上、現在のシステムは、練習ラウンドをプレーしながら練習しているゴルファーが、運動データの表示を見るためにスマートフォン等のモバイル装置を探し回る必要なく自身のスイング、クラブ等を調整するために、リアルタイムで及び各ショット後にそのようなデータを容易に見ることを容易に可能にしているものではない。
【発明の概要】
【００１１】
以下の説明は、本開示を基本的に理解してもらうために、本開示の態様の包括的な概要を提示する。この概要は、本開示の広範な概説ではない。この概要は、本開示の重要な、若しくは不可欠な要素を特定することも、本開示の範囲を正確に定めることも意図していない。以下の概要は、以下に提供される詳細な説明に対する前置きとして、本開示の幾つかの概念を一般的な形で提示するにすぎない。
【００１２】
本開示は、１つの態様では、ユーザーがスポーツ器具を操作することに対応するデータを送信するように構成されたモニター装置を備えるスポーツ器具と、このモニター装置によって送信されたデータを受信し、このデータを表示可能情報としての更なる送信のために処理するように構成されたモバイル装置と、このモバイル装置からの上記更なる送信のためのデータを受信し、上記表示可能情報を表示するように構成された、ユーザーと関連付けられたウェアラブル装置とを備えるシステムを記載している。
【００１３】
別の態様によれば、本開示は、ユーザーが第１のスポーツ器具を操作して第２のスポーツ器具をインパクトすることに対応する第１のデータを送信するように構成された第１のモニター装置を備える第１のスポーツ器具と、上記第１のモニター装置によって送信された第１のデータを受信し、この第１のデータを第１の表示可能情報としての更なる送信のために処理するように構成されたモバイル装置と、このモバイル装置から上記更なる送信のための第１のデータを受信し、上記第１の表示可能情報を表示するように構成された、ユーザーと関連付けられたウェアラブル装置と、第１のスポーツ器具によって打撃されることに対応する第２のデータを送信するように構成された第２のモニター装置を備える上記第２のスポーツ器具とを備えるシステムを記載している。
【００１４】
別の態様によれば、本開示は、スポーツ器具の運動に対応する第１のデータを送信するように構成されたモニター装置を備える当該スポーツ器具と、第１のデータを受信するとともにユーザーの運動に対応する第２のデータを取得するように構成された、上記スポーツ器具のユーザーと関連付けられたウェアラブル装置と、第１のデータを第２のデータと相関させ、スポーツ器具の運動を近似したものを含む第３のデータを生成するように構成された学習モジュールとを備えるシステムを記載している。
【００１５】
別の態様では、本開示は、モニター装置を備えるスポーツ器具を記載している。このモニター装置は、プロセッサ及びこのプロセッサと結合されたメモリと、送信機とを備える。このメモリは、プロセッサによって実行されると、スポーツ器具の運動に対応する運動データを取得することを含む動作をプロセッサに実施させる実行可能命令を含む。この送信機は、運動データに基づく表示可能データを、この表示可能データをウェアラブル装置上に表示するために、スポーツ器具のユーザーによって装着されるように意図されたウェアラブル装置に送信するように構成される。
【００１６】
更に別の態様では、本開示は、スポーツ器具の運動を示す第１のデータを取得することと、スポーツ器具のユーザーの運動を示す第２のデータを取得することと、第１のデータを第２のデータに相関させて、ユーザーの運動に少なくとも部分的に基づくか又はユーザーの運動にのみ基づくスポーツ器具の運動を示す第３のデータを生成することとを含む方法を記載している。
【００１７】
本開示は一例によって例示され、添付の図には限定されず、図面全体を通して、同様の参照番号は類似の要素を示す。
【図面の簡単な説明】
【００１８】
【図１】図１は、ゴルフクラブシャフト等のスポーツ器具に取り付けられる従来技術のモニター装置の図である。
【図２】図２は、図１及び本明細書の他の箇所に示すようなモニター装置を用いて達成することができるようなゴルフクラブ等のスポーツ器具のスイング軌道のグラフィック表示の概略説明図である。
【図３】図３は、本開示のシステム及び装置の概略説明図である。
【図４】図４は、ユーザーの手又は手首のスピード運動を、そのような運動によって達成されるゴルフクラブヘッド等のスポーツ器具のスピードに相関させる方法の概略説明図である。
【図５】図５は、スポーツ器具のユーザーの運動に基づいてスポーツ器具の予測運動データ又は仮想運動データを作成する学習モジュールを含む本開示の別のシステムを示す図である。
【図６】図６は、本明細書において開示される方法及びシステムの態様又はその一部を組み込むことができる汎用コンピューターシステムを表すブロック図である。
【図７】図７は、本開示のシステム及び装置によって用いられる方法を説明するフローチャート図である。
【発明を実施するための形態】
【００１９】
「モニター装置」という用語は、本明細書で用いられるとき、次の機能、すなわち、線形加速度データ及び／又は角速度データ等の運動データの送信及び／又は生成、そのようなタイプの運動データのうちの１つ又は複数の受信及び／又は処理、そのような処理されたデータの記憶、及び／又は処理されたデータの送信のうちの１つ又は複数を実行するように構成された装置を意味するように意図されており、前述したＳＢ２センサー等の装置を含むが、これに限定されるものではない。
【００２０】
「ウェアラブル装置」という用語は、本明細書で用いられるとき、ユーザーが通常装着し、ユーザーがハンズフリーで容易に見ることができるディスプレイを備える装置を意味するように意図されており、Ａｐｐｌｅ（商標）Ｗａｔｃｈ及びＧｏｏｇｌｅ  Ｇｌａｓｓ（商標）装置を含むが、これらに限定されない腕時計又はヘッドアップディスプレイ等である。
【００２１】
「モバイル装置」という用語は、本明細書で用いられるとき、ユーザーが通常装着しない（又は、例えば、ホルスターに装着される場合には、装着されている間、ユーザーが容易に見ることができないディスプレイを有する）装置を意味するように意図されており、ウェアラブル装置及び／又はモニター装置と通信するように構成可能なスマートフォン（例えば、Ａｐｐｌｅ  ｉＰｈｏｎｅ（登録商標））、タブレットコンピューター（例えば、Ａｐｐｌｅ  ｉＰａｄ（登録商標））、又はラップトップコンピューター（例えば、Ａｐｐｌｅ  Ｍａｃ  Ｂｏｏｋ（商標））等である。
【００２２】
本明細書において用いられるときに、「スポーツ器具」という用語は、実際の分野及びバーチャルの分野の両方で含まれる、ゲーム又はスポーツにおいて、振る、捕る、打つ、投げる、又は別の方法でボール、パック、パンチバッグ等の別の物体（スポーツ物体）に衝撃を加えることによって使用されることを意図している物体を意味する。スポーツ器具は、限定はしないが、野球バット、ソフトボールバット、クリケットバット、ゴルフクラブ、ホッケースティック、テニスラケット、スカッシュラケット、ラケットボールラケット、バドミントンラケット又はラクロススティック、ボクシンググローブを含み、スポーツ衣類、及びそのようなスポーツ器具をまねることを意図したビデオゲームコントローラー等の装置を更に含む。「スポーツ器具」は、スポーツ物体等の装置に衝撃を加えることができるか、又はその装置との衝撃に関連付けることができ、それゆえ、例えば、サッカーボール又はフットボールをキックするように構成されるシューズ、又は衝撃を加えるときにユーザーが着用している場合があるゴルフグローブ、ボディスーツ又はヘルメット等の衣類も含む場合がある。スポーツ器具はインパクトエリアを有することができ、インパクトエリアは、スポーツに参加するときに別のスポーツ器具又はスポーツ物体に一般的に衝撃を加えるスポーツ器具のエリアである。例えば、インパクトエリアは、ゴルフの場合にはゴルフクラブヘッドの一部又は全て、野球の場合にはバットの胴部等を含むことができる。非インパクトエリアは、ゴルフクラブシャフト、ラケットの柄、バットの柄等の別のスポーツ器具によって通常は衝撃を加えられないスポーツ器具のエリアとすることができる。本開示は、便宜上、主にゴルフクラブ、ゴルフクラブヘッド及びゴルフ関連用具を参照するが、これは簡潔にするためにすぎず、本明細書における教示及び開示は任意のスポーツ器具及び任意のスポーツ物体に適用することを意図しており、ゴルフクラブ及びゴルフボールのみに適用することは意図していないことは理解されたい。
【００２３】
図１を参照すると、全体として１０で示される従来技術のゴルフクラブシャフトを備えるスポーツ器具が示されており、ゴルフクラブシャフトは、ゴルフクラブシャフト１０に固定されるゴルフクラブヘッド（図示せず）を有し、ゴルフクラブグリップ１２を含む。また、図１には、上記のＳｗｉｎｇｂｙｔｅＳＢ２センサー等のモニター装置１４も示されており、モニター装置１４は、既知のように、例えば、クランプ又はストラップ１６を用いてゴルフクラブシャフト１０に取り付けられる。そのようなモニター装置１４は、情報、データ、グラフィックス等をコンピューター、ラップトップ、タブレット、スマートフォン等のようなリモート装置１８に送信するように構成することができ、リモート装置において、情報、データ、グラフィックス等はディスプレイ２０上でアクセスするか、表示するか、又は監視することができる。
【００２４】
次に図２を参照すると、図１に示すようにゴルフクラブシャフトにクランプ又は接着されたSwingbyte社のＳＢ２型センサーを用いて達成されるようなゴルフクラブスイングの軌道の、全体として２００で示されるグラフィックが示されている。そのようなグラフィック表示２００は、モバイル装置（例えば、スマートフォン、タブレットコンピューター、又はラップトップコンピューター）等のリモート装置上に表示することもできるし、コンピューター端末等のデスクトップ装置を含むリモート装置上に表示することもできる。そのようなグラフィック表示２００は、米国特許第８，６９６，４８２号に記載されているように、モニター装置及び／又はリモート装置に組み込まれたコンポーネント及びソフトウェアを用いて達成することができる。図２に示す例は、ゴルフクラブスイングに固有のものであり、クラブヘッドスピード、平面角、アドレス時のフェースアングル、ボールスピード、アタック角、打ち出し角、方位角（azimuth）等の表示可能情報を数値又はグラフィックで表示することができるが、任意のスポーツ器具及び／又はそのような任意のスポーツ器具による影響を受ける任意のスポーツ物体の運動を示す同様のタイプの情報も、同様に表示することができ、本開示の範囲内及び本明細書で用いられる「表示可能情報」という用語の範囲内にあると考えられる。
【００２５】
加えて、スポーツ器具のユーザーに関係した情報も、本明細書で用いられる「表示可能情報」という用語に含めることができる。例えば、ユーザーの手の位置、手首の回転、胴の位置、アドレス角、肩の回転スピード、頭の回転、頭の位置、及び／又はスポーツ器具のユーザーの動作に関する他の情報を「表示可能情報」という用語に含めることができる。
【００２６】
モニター装置は、スイング軌道に固有のデータを、処理及びグラフィック表示２００として表示するためにリモート装置に送信するように構成された送信機を備えることができる。図示するように、グラフィック表示２００は、仮想ゴルフクラブ２１０を１つ又は複数のスイング位置、この例では、ゴルフスイングの終わりに非常に近いフォロースルー位置に表示することができる。更に図示するように、グラフィック表示２００は、モニター装置によって記録、検知、及び／又は送信されるようなスイング軌道を表示することができる。そのような表示されるスイング軌道は、ゴルフボール２４０とのインパクト点に先行する、インパクト前バックスイング軌道２２０とインパクト前ダウンスイング軌道２３０とを含むことができる。グラフィック表示は、仮定的インパクト後ゴルフボール軌道２５０と、インパクト後スイング軌道２６０とを更に表示することができる。モニター装置（複数の場合もある）は、ゴルフクラブのシャフトに取り付けることもできるし、グリップ内、シャフト内、及び／又はゴルフクラブヘッド内に実装することもできる。モニター装置は、クラブヘッドスピード、方位角、アタック角等のインパクト点におけるゴルフクラブに対応するデータを求めて表示するように構成することができる。
【００２７】
本開示の一態様は、図３に示すシステム３０５である。この態様では、本明細書で十分に説明されるように、又は米国特許出願公開第２０１３／０２６７３３８号に別の例として記載されているように、ホーゼル３１５を介してグリップ３３０を有するシャフト３２０に接続されたゴルフクラブヘッド３１０を備える、全体として３００で示されるゴルフクラブは、モニター装置３４０をヘッド内に備えることができる。上記米国特許出願公開は、引用することによってその全体が本明細書の一部をなす。この態様では、ゴルフクラブ３００は、モニター装置３５０を追加して又は代わりに備えることができ、このモニター装置３５０は、例えば、シャフト３２０に取り付けることができ、ゴルフクラブ３００の運動の検知、並びにこれに関係するデータの処理、記憶、及び／又は送信に関して、モニター装置３４０と実質的に同じ機能を示すことができる。モニター装置、例えば、モニター装置３４０、３５０は、コンピュータータブレット、スマートフォン、ラップトップコンピューター等のモバイル装置３７０と通信することができ、及び／又はこのモバイル装置３７０とともに用いることができ、及び／又は１つ又は複数のウェアラブル装置、例えば、第１のウェアラブル装置３８０及び／又は第２のウェアラブル装置３０１とともに用いることができる。この態様では、モニター装置３４０、モニター装置３５０、関連するリモート装置３７０、第１のウェアラブル装置３８０、及び第２のウェアラブル装置３０１は、例えば、同時係属中の米国特許出願第１４／５６４，９３３号に開示されているように、モニター装置３４０及び／又はモニター装置３５０から入手可能な最良のデータのみを受信、処理、送信及び／又は表示するように構成することができる。
【００２８】
別の例として、ゴルフクラブ３００は、シャフト３２０内のモニター装置３２５及び／又はグリップ３３０内のモニター装置３３５等のような、スイングの複数の部分からの最も正確な読み取り値を取得する複数の機会を提供する追加の又は代替のモニター装置を有することができる。図示するように、複数のモニター装置３２５、３３５、３４０、３５０は、ゴルフクラブ３００に沿って、例えば、スポーツ器具の柄、シャフト、ホーゼル等の長手方向軸又は中心線Ｃ／Ｌに概ね沿って比較的等間隔に配置することができる。もちろん、本明細書において、他の数のモニター装置、並びに他の間隔及びモニター装置固定構成も考えられる。もちろん、１つのモニター装置３２５、３３５、３４０、又は３５０のみを用いることもできる。
【００２９】
１つの態様では、モニター装置３３５は、スポーツ器具のグリップ３３０内又は柄内に配置することができる。ゴルフクラブのグリップ内に配置された電子装置の市販されている例は、Active Mind Technology, Inc.社から入手可能なＧａｍｅ  Ｇｏｌｆ（商標）ショット追跡システムによって例示されている。このシステムは、ゴルフコース上の各ホールにおけるショットごとに用いられる各クラブを追跡するために、各ゴルフクラブのグリップの端部におけるプラグの下にある電子コンポーネント（「タグ」と呼ばれる）を利用し、この電子コンポーネントは、ユーザーのベルトに装着された第２の電子コンポーネント（「追跡装置」と呼ばれる）と通信する。そのような装置は、例えば、米国特許出願公開第２０１２００３５００３号に図示及び記載されている。この米国特許出願公開は、２０１２年２月９日公開され、引用することによってその全体が本明細書の一部をなす。しかしながら、現在、ＵＳＧＡでは、プレーヤーが競技プレーに参加するときにそのような装置を装備したゴルフクラブを用いることが認められていない。このため、そのような装置が取り付けられたフルセットのゴルフクラブを有するプレーヤーは、プレーの開始に先立ち、各クラブからそれらの装置を最初に取り外さなければならない。本明細書で論述するように、運動データの受信と関連付けられた装置は、或る基準に基づいて種々のモードにすることができる。開示された主題の例示的な使用は、或る特定のルールの下でスポーツ器具と関連付けられたモニター装置を用いることができないロケーションに近接した或る閾値数のそのような装置及び／又は互いに近接した或る閾値数のそのような装置を、本明細書で論述するような基準に基づいて「オフ」モードに自動的にすることとすることができる。この閾値要件、近接性要件、及び他の基準は、ルール作成機関又はＵＳＧＡ等の協会が設定することができる。
【００３０】
本開示の好ましい態様は、プレーヤーが、モニター装置の取り外し又はオンにすること若しくは電源オフを行うだけでなく、それらのモニター装置がともに用いられているシステムを「スリープ」モードにすること、スリープモードにあるときの持続時間及び時刻を記録すること、及び／又はスリープモードにある間に装置のロケーションを記録することも可能にするシステムを提供する。これらの記録の全ては、日付及びタイムスタンプ付きの電子署名等の検証可能フォーマットで行うことができる。そのため、プレーヤーは、モニター装置が、クラブ（複数の場合もある）上若しくはクラブ内に含まれているか又は別の方法でクラブと関連付けられているにもかかわらず、プレーヤーがＵＳＧＡ、又はそのような装置の使用が認められていない他の公認イベントに参加していた時間中に無機能であり、機能していなかったことを、ＵＳＧＡ又は他の任意の公的機関若しくは管理機関とともに検証することができる。この態様では、「スリープ」モードは、モバイル装置、ウェアラブル装置（複数の場合もある）、及び／又はモニター装置（複数の場合もある）によって有効化することができ、携帯電話を「機内」モードにするのに用いられるものと実質的に同様のソフトウェア及び機能を備えることができるが、本システムがスリープモードにある間の時刻及びロケーションを記録する追加機能を有する。
【００３１】
幾つかの実施態様では、「スリープ」モードは、ユーザーへのデータの表示及び送信をオフにすることができるだけでなく、オフであっても、例えば、インターネットプロバイダー及び／又はケーブルプロバイダーにネットワークを介して送信するデータを追跡することもできる。この修正型「スリープ」モードは、本明細書では「ローカルスリープ」モードと呼ばれる。そのような例では、ユーザーが追跡情報の利用、アクセス、又は視覚化を行うことができないように、モバイル装置３７０、ウェアラブル装置３８０、又はウェアラブル装置３０１によって「ローカルスリープ」モードを有効化することができ、システム３０５は、その場合でも、当該システム３０５が「ローカルスリープ」モードにある間の時間及びロケーションを記録することができるが、システム３０５は、ネットワークを介してデータを送信することができる。したがって、ネットワークプロバイダー、及び／又はゴルフトーナメントを放送するケーブルプロバイダー等のケーブルプロバイダーは、その場合でも、例えば、それぞれのセンサー又は他の装置によって送受信されるデータ３５２、３９７、３５３、３９９、３９６、３９８、３９４、３５１、３５５、及び３５７等の、システム３０５によって作成されて送信されたデータを利用することができる。これらのデータは、例えば、ユーザーのスイングの視覚表現を示すために、又はショットの距離及び軌道のより正確な追跡、ハザード及び／又はピン位置からの距離、ゴルフコース上のゴルフボールのロケーション、並びに他の情報を提供するために、ライブ放送とともに放送することができる。このように、「ローカルスリープ」モードは、放送者が、ゴルフボールの飛翔軌道を示す「Ｓｈｏｔ  Ｔｒａｃｋｅｒ」画像と同様の画像を放送することを可能にすることができるが、スイングプレーンの視覚表示及び現在利用可能でない他のデータを示す利点を伴っている。
【００３２】
関係した態様では、「Ｓｈｏｔ  Ｔｒａｃｋｅｒ」又は「Ｓｈｏｔ  Ｌｉｎｋ」等のゴルフボールの飛翔軌道又は位置を求めるのに用いられる技術と類似又は同一の技術は、例えば、関心のあるショット／プレーヤーのバックスイング及びダウンスイングの軌道を示すとともにスイング軌道をウェアラブル装置、モバイル装置上に表示するために、ゴルフクラブのスイング軌道を追跡し、及び／又はゴルフトーナメントを放送するケーブルプロバイダーのようにそれらをネットワークを介して放送するのに用いることができる。そのような技術は、とりわけ、レーザー、無線通信技術、ハンドヘルド装置、及び関連ソフトウェア等に依拠しており、スイング前、スイング中、及び／又はスイング後に、ゴルフボール自体ではなく（又はゴルフボールに加えて）、例えばゴルフクラブのヘッドに的を絞ることによって用いることができる。スイング中のゴルフクラブヘッドのスイング軌道又は軌跡は、このように監視し、取得し、表示し、及び／又は放送することができる。この態様では、そのような技術は、例えば、ゴルフコース上にいるときはドローンに基づくシステムを用いて、又は、例えば、フィッティングスタジオのヒッティングベイではマウントカメラ、センサー、レーザー等を用いるシステムを用いて、種々の見晴らしの良い地点から、例えば、ゴルファーの後方から、ゴルファーの正面から、又はゴルファーの上方からでも用いることができる。スイング軌道の種々の有利な位置がこのように取得されるとき、その結果のデータは、集約して３次元で表示することができる。加えて又は代替的に、スポーツ器具のスイングの２つ以上の異なる有利な点を取得して表示し、例えば、スポーツ器具のユーザーの上方、後方、前方、側方、及び／又は正面からスイング軌道を種々の視点フレームで視覚化することができる。これらの態様では、そのような「Ｓｈｏｔ  Ｔｒａｃｋｅｒ」型の技術又は「Ｓｈｏｔ  Ｌｉｎｋ」型の技術を、ゴルフクラブ又は他のスポーツ器具と関連付けられたモニター装置とともに用いることも、このモニター装置を伴わずに用いることも実現可能とすることができることに留意すべきである。
【００３３】
図３に更に示すように、本開示のシステム３０５は、米国特許第８，７８７，００６号に記載されているように、例えば、Ｇｏｏｇｌｅ  Ｇｌａｓｓ（商標）装置若しくはＡｐｐｌｅ（商標）Ｗａｔｃｈ又は同様の装置とすることができる、全体が３８０で示される第１のウェアラブル装置も備えることができる。この米国特許は、引用することによってその全体が本明細書の一部をなす。ウェアラブル装置３８０は、例えば、それぞれ手首、頭、足首、腕、又は脚の周囲においてユーザーにウェアラブル装置３８０を固定するリストバンド、ヘッドバンド、アンクルバンド、アームバンド、レッグバンド等のバンド３８２又は他のアタッチメント装置を備えることができる。
【００３４】
ウェアラブル装置３８０は、ディスプレイ３８６を備えることができるポータブル電子装置３８４を更に備えることができる。ディスプレイ３８６は、ユーザーへの出力を表示可能とすることができ、及び／又はユーザーからのタッチ入力を受信することが可能なタッチスクリーンディスプレイを含むことができる。ポータブル電子装置３８４は、例えば、腕時計又はポータブルメディアプレーヤーとしてのネイティブ機能を有することができ、このため、メディア記憶及びプレーバックを提供することができる。
【００３５】
加えて、バンド３８２（又はグローブ若しくは衣類のアイテム等の他のアタッチメント手段）及びポータブル電子装置３８４の一方又は双方は、ウェアラブル装置３８０内又は有線手段若しくは無線手段を介してこのウェアラブル装置から遠隔のいずれかにおいて、他の電気コンポーネントに結合することができる１つ又は複数の電気コンポーネント３８８、３８９をそれぞれ備えることができる。一例として、電気コンポーネント（複数の場合もある）３８８、３８９は、加速度計、アンテナ、ＧＰＳ受信機、無線通信送受信機、触覚装置、プリント回路基板、及び／又は電池のうちの少なくとも１つを含むことができる。例として、１つ又は複数のアンテナは、短距離無線アンテナ（例えば、Ｂｌｕｅｔｏｏｔｈ（登録商標）アンテナ）、近接場アンテナ、又は全地球測位システム（ＧＰＳ）アンテナの群から選択することができる。プリント回路基板は、例えば、フレックス回路、リジッドフレックス、又はプリント回路ボード（ＰＣＢ）とすることができる。触覚装置は、バイブレーター、圧電装置、又はユーザーが検知可能な状態を提供する他の装置とすることができる。電池は、再充電可能とすることができ、バンド３８２、ポータブル電子装置３８４に電力供給するのに用いることができるとともに、場合によっては、ポータブル電子装置３８４内の電池を充電するのにも用いることができる。
【００３６】
図３に更に示すように、本開示のシステム３０５は、例えば、ゴルフグローブ又は帽子若しくはシャツ等の別の衣料品とすることができる、全体として３０１で示される第２のウェアラブル装置も備えることができる。第２のウェアラブル装置３０１は、モバイル装置３７０又は第１のウェアラブル装置３８０のうちの少なくとも一方にデータ３９９を送信することが可能な、全体として３９５で示される１つ又は複数のモニター装置を備えることができる。第２のウェアラブル装置３０１は、本明細書で説明したように、第１のウェアラブル装置３８０に関して論述した機能と同様の機能を実行することができ、また、第１のウェアラブル装置３８０に関して論述した特徴と同様の特徴を備えることができる。
【００３７】
第２のウェアラブル装置３０１がグローブである場合、データ３９９は、スポーツ器具３００におけるユーザーの手の位置、スイング全体を通じたユーザーの手の回転及び／又は位置、及び／又はスポーツ器具３００に対するユーザーのグリップ強度に関係する情報を含むことができる。これらは全て、表示可能情報３５３を生成する際に、モバイル装置３７０及び／又は第１のウェアラブル装置３８０によって利用される。
【００３８】
第２のウェアラブル装置３０１が帽子である場合、データ３９９は、例えば、スイング前、スイング中、及びスイング後のユーザーの頭の位置、又はスイング中のユーザーの頭及び／又は肩の回転に関係する情報を含むことができる。これらは全て、表示可能情報３５３を生成する際に、モバイル装置３７０及び／又は第１のウェアラブル装置３８０によって利用される。
【００３９】
別の例として、第２のウェアラブル装置３０１がシャツである場合、データ３９９は、スイング前、スイング中、及びスイング後のユーザーの胴の位置、及び／又はスイング中のユーザーの肩の回転スピードに関係する情報を含むことができる。これらは全て、表示可能情報３５３を生成する際に、モバイル装置３７０及び／又は第１のウェアラブル装置３８０によって利用される。
【００４０】
システム３０５には２つのウェアラブル装置が示されているが、システム３０５の要件に応じて、任意の数のウェアラブル装置をシステム３０５に実装することができることに留意すべきである。例えば、システム３０５は、腕時計としての第１のウェアラブル装置３８０と、グローブとしての第２のウェアラブル装置３０１と、帽子としての追加のウェアラブル装置とを備えることができ、これらのウェアラブル装置のそれぞれは、データ３９７、３５２、３９９、３５７、３５１、３５３等のデータを受信、送信、記憶、及び／又は表示することが可能である。
【００４１】
図３に示す本開示の１つの態様によれば、システム３０５は、スポーツ器具３００と、モバイル装置３７０と、ユーザーと関連付けられたウェアラブル装置３８０とを備えることができる。スポーツ器具３００は、ユーザーがスポーツ器具３００を操作することに対応するデータ３５１、３５３、３５５、及び／又は３５７を送信（及び／又は受信）するように構成された１つ又は複数のモニター装置３２５、３３５、３４０、及び／又は３５０を備える。モバイル装置３７０は、モニター装置（複数の場合もある）及びウェアラブル装置（複数の場合もある）によって送信されたデータ３５１、３５３、３５５、３５７、３５２、及び３９９を受信（及び／又は送信）して、そのようなデータを、例えば、表示可能情報３５３として表示される送信データ３５２としての更なる送信のために処理するように構成されている。ウェアラブル装置３８０は、更なる送信のための送信データ及び／又はウェアラブル装置３８０と関連付けられたディスプレイ３８６上に表示可能情報３５３として表示される送信データ、例えば３５２、３５５を受信するように構成されている。表示可能情報３５３は、実質的に図２に関して説明したとおりの情報を含むことができる。
【００４２】
モバイル装置３７０及び第１のウェアラブル装置３８０の双方は、ディスプレイを備えることができ、同じ表示可能情報３５３を表示するように構成することができるが、モバイル装置３７０は、特に、表示可能情報３５３が第１のウェアラブル装置３８０上に表示可能であるときは、そのような情報を表示する必要はない。モニター装置（複数の場合もある）によって送信されたデータ３５１、３５３、３５５、及び／又は３５７、及び／又は更なる送信のためのデータ３５２、及び／又は表示可能情報３５３は、スポーツ器具３００の速度、加速度、減速度、アタック角、方位角、インパクト、及びスイング軌道のうちの少なくとも１つを含むことができる。そのようなデータは、数値及び／又はグラフィックで表示することができる。
【００４３】
別の態様によれば、システム３０５は、モニター装置３２５、３３５、３４０、及び／又は３５０のうちの少なくとも１つ、モバイル装置３７０、第１のウェアラブル装置３８０、及び／又は第２のウェアラブル装置３０１が「オン」（又はアクティブ）モード及び「オフ」（又はスリープ）モードを備えるように構成することができる。「オフ」（又はスリープ）モードは、とりわけ、モニター装置（複数の場合もある）が、ユーザーがスポーツ器具を操作することに対応するデータを送信する能力と、モバイル装置（複数の場合もある）がモニター装置（複数の場合もある）及び／又はウェアラブル装置（複数の場合もある）によって送信されたデータを受信する能力と、モバイル装置（複数の場合もある）が表示可能情報をウェアラブル装置（複数の場合もある）に送信する能力と、ウェアラブル装置（複数の場合もある）が表示可能情報を表示する能力又はデータ３５２及び／又は３９９をモバイル装置（複数の場合もある）若しくは他のウェアラブル装置（複数の場合もある）に送信する能力とのうちの少なくとも１つを無効化し、阻止し、妨害し、及び／又は別の方法で中断する機能、スポーツ器具と関連付けられたデータを（１つ又は複数の装置によって）表示する機能、スポーツ器具と関連付けられたデータを（１つ又は複数の装置によって）処理する機能、及び／又はスポーツ器具と関連付けられたデータを（１つ又は複数の装置によって）通信する機能を備える。
【００４４】
モニター装置３２５、３３５、３４０、及び／又は３５０、モバイル装置３７０、ウェアラブル装置３８０、及び／又は第２のウェアラブル装置３０１は、とりわけ、ロケーション（例えば、ＧＰＳ）、スポーツ器具のタイプ（例えば、バット、ボール、ゴルフクラブの７番アイアン、ウッド等）、時刻、及び／又は日付等の基準に基づいて、「オフ」モード（又は任意のスリープモード）に入ることの命令を自動的に受信する（又は命令を他の装置に提供する）ことができる。一例では、モバイル装置３７０は、このモバイル装置３７０（又は通信接続されたウェアラブル装置若しくはモニター装置）のロケーションで或る特定の時刻及び日付に行われるスポーツイベントのカレンダーを最初に調べることができる。モバイル装置３７０は、「オフ」モード（例えば、本明細書で論述する任意のスリープモード）に入ったり（又は「オフ」モードに入ることの命令を他の装置に提供する）、又は「オフ」モードから「アクティブ」モードに入ったり等することができる。カレンダーは、モバイル装置３７０にローカルに記憶することもできるし、ＵＳＧＡ又は別のスポーツ組織と関連付けられたサーバー等にリモートに記憶することもできる。別の例では、モバイル装置３７０、モニター装置３５０、及び／又はウェアラブル装置３８０からなるシステムが存在する場合、これらの装置のうちの１つ又は複数を、本明細書で論述するような基準に基づいて選択的に「オン」モード又は「オフ」モード（例えば、スリープモード）にすることができる。したがって、この例では、モバイル装置３７０は、モニター装置３５０及びウェアラブル装置３８０が「オフ」モードにある間、アクティブ状態のままとすることができる。
【００４５】
更に別の態様では、システム３０５のモニター装置（複数の場合もある）、モバイル装置、及び／又はウェアラブル装置（複数の場合もある）のうちの少なくとも１つは、モニター装置、モバイル装置、及び／又はウェアラブル装置のうちの少なくとも１つが「オフ」（又はスリープ）モードにある期間を記録するように構成された追跡モジュールを備えることができる。別の態様では、システム３０５のモニター装置（複数の場合もある）、モバイル装置、及び／又はウェアラブル装置（複数の場合もある）のうちの少なくとも１つが「オフ」モードにあるとき、或る特定のセキュリティ証明書（例えば、ユーザー名及び／又はパスワード、スマートカード、ピン等）へのアクセスが必要とされる場合がある。
【００４６】
別の態様では、スポーツ器具はゴルフクラブを含み、システムは複数のゴルフクラブを備え、これらの複数のゴルフクラブを構成するゴルフクラブのうちの少なくとも１つがモニター装置を備える。別の態様では、これらの複数のゴルフクラブを構成するゴルフクラブの全てが１つ又は複数のモニター装置を備える。
【００４７】
別の態様では、モニター装置（複数の場合もある）、モバイル装置、及び／又はウェアラブル装置（複数の場合もある）は、ユーザーがスポーツ器具を操作することに対応する記憶データをアップロードするために、有線接続を受け取るように構成されたポートを備え、ユーザーがそのようなデータを記憶、処理、送信、及び表示のうちの１つ又は複数のためにモニター装置、モバイル装置、及び／又はウェアラブル装置（複数の場合もある）から計算装置にアップロードすることを可能にする。
【００４８】
本明細書で論述する様々な開示内容において、第１のウェアラブル装置３８０及び／又は第２のウェアラブル装置３０１は、触覚装置を含むことができる。例として、この触覚装置は、バイブレーター装置又は圧電装置とすることができる。触覚装置は、ユーザーが検知することが可能な振動又は他の触覚信号を生成することができる。触覚装置は、リストバンド、イヤピース、アンクルバンド等のアタッチメント装置内に位置決めすることができるので、ユーザーの手首、耳、足首にそれぞれ近接して位置決めすることもできるし、触覚検知フィードバックを検知することができる身体の他の任意の部分に近接して位置決めすることもできる。その結果として、ユーザーによって十分検知されるのに、最小振動しか必要とされない。有利には、幾つかの例では、振動は、近くの人には聞こえず、ユーザーによってのみ検出可能とすることができる。別の利点として、ユーザーの手首、耳、又は足首に近接して触覚装置を設けることによって、ユーザーが振動を検知しないことによって通知を見過ごす可能性が低くなる。他の例は、好ましい動き又は好ましい動きからのずれに対応する最小振動から大きな（聞こえる可能性さえある）振動までの範囲を含むことができる。
【００４９】
本開示の一態様では、触覚装置は、ユーザーが関連付けられているスポーツ器具の使用に関する即座のフィードバックをユーザーに提供するのに利用することができる。この態様では、第１のウェアラブル装置３８０及び／又は第２のウェアラブル装置３０１は、ユーザーがスポーツ器具３００を所定の運動軌道と実質的に一致して及び／又は所定の運動軌道から実質的にずれて操作することに対応する触覚検知フィードバックを提供するように構成することができる。例えば、ゴルフスイングの状況では、システム３０５は、ゴルファーのスイングが「オンプレーン」であるときを認識するように構成することができる。この用語は、一般には、最適なボールストライキングのための推奨スイング軌道に従った流体スイングと互いに関連していると理解されている。この「オンプレーン」スイング軌道は、アドレス時のユーザー及びターゲットに対して適切な角度で位置決めされるＨｏｏｌａ  Ｈｏｏｐ（商標）又は類似の構造を基準として近似されることがある。システム３０５は、スイングが「オンプレーン」であることに応答して適切な触覚フィードバックを提供するように構成することができ、例えば、スイングが「オンプレーン」である場合には１つの短い振動を提供し、スイングが「オーバープレーン」である場合には２つの短い振動を提供し、スイングが「アンダープレーン」である場合には３つの短い振動を提供するように第１のウェアラブル装置３８０にシグナリングする。他の運動についての他の信号を同様に用いることができ、例えば、振動パターン、可聴信号、及び／又は視覚信号を用いて、ゴルファー（又は他のスポーツ器具のユーザー）のスイングが例えば０度の方位角の許容可能範囲内にあるか否か、許容可能なアタック角内にあるか否か等をシグナリングすることができる。
【００５０】
更に別の態様では、本システムは、本システムを有効化又は無効化のいずれかにすることが望ましい場合があるロケーションにユーザーが接近したときに、システムが無効化されているか若しくは無効化されていないこと、又は「オフ」モード若しくはスリープモードにあるか若しくはないことをユーザーに知らせるアラート又は他の警報システムを備えることができる。例えば、ユーザーがゴルファーであり、そのゴルフクラブが１つ又は複数のモニター装置を用いて構成されている場合、そのユーザーは、そのような装置の使用が認められていないイベントでゴルフラウンドを開始することに先立ってそのような装置を無効化することを思い出したい場合がある。本開示によれば、本システムと関連付けられた１つ又は複数の装置は、例えば、ゴルフラウンドの開始前にシステムを無効化するゴルファーへのリマインダーとして振動する触覚装置を用いて、そのイベントにおいてゴルファーにアラートするように構成することができる。これは、例えば、ロケーションモジュールを介して達成することができる。このロケーションモジュールは、例えば、ウェアラブル装置、モバイル装置、及び／又はモニター装置と関連付けられており、ユーザー、ユーザーのスポーツ器具、及び／又は上述した装置のうちの１つ又は複数が、ゴルフコース等の、そのような装置の使用の制限と関連付けられたロケーションに位置しているか又はそのロケーションの近くに位置しているときを識別するように構成されている。
【００５１】
本開示の別の態様では、第１のウェアラブル装置３８０及び／又は第２のウェアラブル装置３０１は、心拍数モニターを備えることができる。例えば、第１のウェアラブル装置３８０は、腕時計とすることができ、電子コンポーネント３８８のうちの１つとして心拍数モニターを備えることができる。そのような例では、ユーザーの心拍数を用いて、カロリー追跡情報を生成することができる。加えて、モバイル装置３７０のディスプレイ、又は第１のウェアラブル装置３８０のディスプレイ３８６及び／又は第２のウェアラブル装置３９９のディスプレイ上で心拍数をユーザーに提示することができる。心拍数は、ユーザーがリラックスするか又は落ち着く必要があることをユーザーに示すこともできるし、例えば、深呼吸によって心拍数を上げて血流を活性化すべきであることをユーザーに示すこともできる。別の例では、ユーザーの心拍数が、高又は低のいずれかの所定の閾値レベルに達したとき、モバイル装置３７０、第１のウェアラブル装置３８０、及び／又は第２のウェアラブル装置３０１のうちの少なくとも１つは、通知をユーザーに提供することができる。この通知は、ユーザーの心拍数を下げる鎮静音楽等の音を含むこともできるし、ユーザーがリラックスする時間を少し取るべきであること、又は動き回ったり、ストレッチをしたりすること等によって血流を上げる時間を少し取るべきであることをユーザーに示す別の音を含むこともできる。本明細書で論述するように、とりわけ、検知されたデータ、ユーザーの好み、及び／又は情報の求められた関係（例えば、相関されたデータ）は、装置による動作を決定する際に用いることができ、この動作は、パフォーマンスと関連付けられた情報の表示を含むことができる。一例では、ティーからの飛翔軌道及び／又はボール移動距離を示すために、プレーヤーの心拍数とスイング軌道との間の関係を求めることができる。この関係は、グラフィック及び／又は数値で表示することができる。ユーザーの心拍数を適切に変化させることに対応した（例えば、ユーザーの好みに基づく）音楽のタイプを、所望のパフォーマンスについて求められた心拍数に基づいて選択することができる。
【００５２】
更に別の態様では、モバイル装置３７０内のマイクロフォン及び／又はスピーカーに加えて、第１のウェアラブル装置３８０及び／又は第２のウェアラブル装置３０１は、マイクロフォン及び／又はスピーカーを備えることができる。システム３０５の使用中、モバイル装置３７０並びに第１のウェアラブル装置３８０及び第２のウェアラブル装置３０１内のマイクロフォン及びスピーカーをそれぞれ利用して、通知、フィードバック、音声入力等を提供し、装置とユーザーとの間の通信を可能にすることができる。例えば、スピーカーを用いて、心拍数又は上記で説明したような他のバイタルサインについてのフィードバックをユーザーに提供することができる。更に別の例では、スピーカーを用いて、グリーンまでの距離又はハザードまでの距離等のコース上の距離をユーザーに聞こえるように示すことができる。ユーザーは、例えば、情報を要求し及び／又は設定を変更するために、マイクロフォンを通じてシステム３０５と通信することができる場合もある。
【００５３】
本開示の別の態様では、システム３０５は、ユーザーが第１のスポーツ器具３００を操作して第２のスポーツ器具３９０、この例ではゴルフボールをインパクトすることに対応する第１のデータ、例えば３５１を送信するように構成された第１のモニター装置３２５、３３５、３４０、及び／又は３５０を備える第１のスポーツ器具３００を備えることができる。この態様では、モバイル装置３７０は、第１のモニター装置、例えば３５０によって送信された第１のデータ３５１を受信し、この第１のデータ３５１を第１の表示可能情報３５３としての更なる送信３５２のために処理するように構成することができる。この第１の表示可能情報は、例えば、第１のスポーツ器具３００の速度、加速度、減速度、アタック角、及びスイング軌道のうちの少なくとも１つを含むことができる。
【００５４】
この態様では、システム３５０は、ユーザーと関連付けられた第１のウェアラブル装置３８０も備えることができる。この第１のウェアラブル装置３８０は、モバイル装置３５２から更なる送信のための第１のデータを受信し、第１の表示可能情報３５３を表示するように構成されている。この態様では、第２のスポーツ器具３９０は、第１のスポーツ器具３００によって打撃されたことに対応する第２のデータ３９４、３９６、及び／又は３９８を送信するように構成された第２のモニター装置３９２を備えることができる。この態様では、第２のモニター装置３９２は、第２のデータ３９４、３９６、及び／又は３９８を第１のモニター装置３５０、モバイル装置３７０、及びウェアラブル装置３８０のうちの少なくとも１つにそれぞれ送信するように構成することができる。本システムは、第２のデータを第１のウェアラブル装置３８０上に第２の表示可能情報として表示するために処理するように更に構成することができる。第２のデータは、例えば、第２のスポーツ器具３９０が第１のスポーツ器具３００によって打撃された後、第２のスポーツ器具３９０の速度、加速度、減速度、圧縮、スピン速度、打ち出し角、方位角、スピン方向、ロケーション、高度、飛距離、及び飛翔軌道のうちの少なくとも１つを含むことができる。これらのいずれか又は全てを、例えば、第１のウェアラブル装置３８０上に第２の表示可能情報として表示することができる。この態様では、特に、第２のスポーツ器具３９０のロケーション、飛翔軌道、高度、及び／又は飛距離が所望されている場合には、ＧＰＳ又は他の追跡機能を第２のスポーツ器具３９０内に備えることが有益な場合がある。第１のウェアラブル装置３８０は、第１の表示可能情報、例えば、第１のスポーツ器具３００の運動に固有の情報の表示と、第２の表示可能情報、例えば、第２のスポーツ器具３９０の運動に固有の情報とを「切り替える」ように更に構成することができる。
【００５５】
第２のモニター装置３９２は、図３では、第２のスポーツ器具３９０内に内蔵又は収容されたものとして示されているが、第２のモニター装置３９２及び／又はそのコンポーネントは、第２のスポーツ器具３９０の表面上又は表面近くに位置決めすることができることが容易に理解されるであろう。第１のスポーツ器具３００は、例えば、ゴルフクラブ、テニスラケット、スカッシュラケット、ラケットボールラケット、野球バット、ソフトボールバット、クリケットバット、ホッケースティック、スポーツシューズ、ボクシンググローブ、スポーツ衣類、Ｗｉｉスティック若しくは他のコントローラー等の仮想スポーツ器具、又はラクロススティックを含む群から選択することができ、第２のスポーツ器具３９０は、ゴルフボール、テニスボール、スカッシュボール、ラケットボール、野球のボール、ソフトボール、クリケットボール、ホッケーパック、サッカーボール、フットボール、パンチバッグ、仮想ボール、及びラクロスボールを含む群から選択することができる。
【００５６】
図３に示すシステムは、１つの態様では、少なくとも１つのモニター装置３２５、３３５、３４０、及び／又は３５０と、モバイル装置３７０と、第１のウェアラブル装置３８０と、第２のウェアラブル装置３０１とを備える。モバイル装置３７０は、第１のウェアラブル装置３８０の計算能力、電池電力等が本明細書で説明する機能を実行するのに不十分な状況において必要な場合がある。しかし、他の態様では、ウェアラブル装置３８０には、別個のモバイル装置３７０を必要とすることなく機能するように十分な計算能力、電池電力、送受信機能力等を提供することができる。言い換えると、モバイル装置３７０及び第１のウェアラブル装置３８０は、本明細書に開示した動作を実行するのに必要とされる機能を備える単一のウェアラブル装置として構成することができる。加えて又は代替的に、第１のウェアラブル装置３８０は、モニター装置（複数の場合もある）３４０、３２５、３５０、３３５の運動検知特徴及び他の特徴を用いて構成することができる。この態様では、モバイル装置３７０、第１のウェアラブル装置３８０、及びモニター装置（複数の場合もある）の機能の全てを、第１のウェアラブル装置３８０を備える単一のユニットに収容することができる。そのような例では、第１のウェアラブル装置３８０は、第２のウェアラブル装置３０１及び／又はシステム３０５内の任意の数のウェアラブル装置から追加のデータ３９９を受信することができる。
【００５７】
本開示の別の態様では、システム３０５に含まれるモバイル装置３７０、第１のウェアラブル装置３８０、第２のウェアラブル装置３０１、及び／又は他の任意の装置は、データ３５２、３９７、３９９、３５１、３５５、３５７、３５３、３９４、３９８、及び３９６等のデータをネットワークを介して送信するように構成することができる。例えば、これらの装置のうちの少なくとも１つは、これらのデータをネットワークを介してＦａｃｅｂｏｏｋ、Ｔｗｉｔｔｅｒ等のソーシャルメディアに送信することができる。加えて、これらの装置のそれぞれは、これらのデータをリアルタイム放送用にケーブルプロバイダー、ネットワークプロバイダー等の任意の数のメディアアウトレットに送信することができる。そのような例では、装置によって送信されたデータは、友人、家族、及び／又は一般大衆が受信して見ることができる。
【００５８】
１つの例では、インターネットプロバイダー又はケーブルプロバイダーを通じてゴルフトーナメントを視聴者に放送することができ、システム３０５内の装置からプロバイダーによって受信されたデータをゴルフトーナメント放送とともに放送して、ゴルフトーナメントにおけるシステム３０５のユーザーに関するスイング、ロケーション、及び／又は他の情報の見識を提供することができる。
【００５９】
別の例として、システム３０５のユーザーは、このユーザーの友人が見るために、システム３０５の利用前、利用中、又は利用後にデータをソーシャルメディアにアップロードすることもできるし、ユーザーが後に情報を見ることができるように、プレーされたゴルフの全てのラウンド、各ショットヒット等の記録を保持するプログラムにデータをアップロードすることもできる。例えば、システム３０５は、このシステム３０５内の任意の数の装置を利用して、システム３０５によって収集された各スイング、そのスイングのロケーション、ショット距離、及び他の任意の情報を追跡することができ、これによって、ユーザーは、自身のゲームの改善を助けるために、これらの情報をプレーバックし、見直し、及び／又は利用することが可能になる。したがって、ユーザーは、自身のスイング又はアプローチを模倣し、及び／又はゲームにおける或る特定の状況に変更することができるように、ゴルフの各ラウンド中の各ショットを見直して、より良いプレー及びより悪いプレーにつながる自身のゲームの様々な態様を判断することを可能にすることができる。
【００６０】
本開示の更に別の態様では、システム３０５は、このシステム３０５によって以前に記録された全てのデータを利用して、スイングの変更、クラブの選択、及び／又はゲームへのアプローチを推奨するように構成することができる。例えば、ユーザーは、１５０ヤードの目標距離よりも短い距離を自身の７番アイアンで一貫して打つ場合があり、そのため、モバイル装置３７０内のＧＰＳが、ユーザーがグリーンから１５０ヤード離れていると判断したとき、モバイル装置３７０は、６番アイアンを用いる推奨をユーザーに伝達することができる。したがって、システム３０５は、ユーザーのプレー能力及びスタイルを動的に学習し、このデータを用いてリアルタイムの推奨をユーザーに薦めることができる。そのようなシステム３０５は、ユーザーのロケーションに基づく風向及び風速等のリアルタイム環境データにアクセスすることもでき、そのようなデータを更に用いて、例えば、左から右に、かつユーザーに向かって吹いている部分的な横風を補償するために、例えば、２０ヤード左に照準を当て、７番アイアンから６番アイアンにクラブを「アップ」することによって、ユーザーがそのような環境条件を補償することができる方法を推奨することができる。
【００６１】
システム３０５は、ユーザーの最適なスタンス、ボールアライメント、及びスイングタイプを学習し、ユーザーがこれまでのデータ及びシステム３０５の学習に基づいてより一貫した及び／又はより良いショットを打つように行うことができる調整をスイング前、スイング中、又はスイング後にユーザーに推奨するように更に構成することができる。例えば、第２のウェアラブル装置３０１がシューズである一実施態様では、モニター装置３９２は、第２のウェアラブル装置３０１と通信して、異なるクラブごとにモニター装置３９２と第２のウェアラブル装置３０１内のモニター装置３９５との間の距離を求めることができる。システム３０５は、良いショット及び悪いショットのデータ３９６及び／又はデータ３９９等の距離データを追跡することができ、これらの距離データを利用して、クラブごとに各ショットの適切な距離をユーザーに推奨することができる。例えば、システム３０５は、モバイル装置３７０におけるスピーカー及び／又はディスプレイを用いることによって、ユーザーが各ショットに先立って第２のスポーツ器具３９０に一歩近づくか若しくは一歩更に離れるかを推奨することができ、及び／又はユーザーが第２のスポーツ器具３９２を第２のウェアラブル装置３９５に対してより前方又はより後方に整列させることを推奨することができる。同様の追跡及び推奨は、クラブにおける手のグリップ位置、バックスイングの長さ、フォワードスイングの長さ、体の回転、及び／又はユーザーのスイングに関係した他の情報について行うことができる。スイングの長さは、第１のスポーツ器具３００のゴルフクラブヘッド３１０が、バックスイングの長さの場合には、アドレスからバックスイングの頂点まで移動する距離を指し、フォワードスイングの長さの場合には、バックスイングの頂点からボールを打つまでに移動する距離を指す。ゴルフパフォーマンスの幾つかの尺度によれば、フォワードスイングの長さに対するバックスイングの長さの比は１よりも大きくあるべきである。一例として、ツアープロは、通常、バックスイングの長さよりも少なくとも約１０％短いフォワードスイングの長さを示し、潜在的にバックスイングの長さよりも最大で約３０％短いフォワードスイングの長さを示す。本開示のシステムは、フォワードスイングの長さに対するバックスイングの長さの比を求め、この比をショットごとに表示することができ、ユーザーの平均を求めるためにそのようなデータを更に蓄積することができる。
【００６２】
本開示の更に別の態様では、システム３０５は、モバイル装置３７０のディスプレイ上又は第１のウェアラブル装置３８０のディスプレイ３８６上にこのデータを、例えば、ユーザーによるこれまでのスイング及び／又はプロゴルファー等の別の人のこれまでのスイングに関するデータと同時に提供することができる。例えば、ユーザーが以前プレーしたことがあるコース又はプロゴルファーが以前プレーしたことがあるコースで、ユーザーがシステム３０５を利用している場合、システム３０５は、ユーザー又はプロゴルファーの以前記録されたスイングを視覚化したものを各スイング前、各スイング中、又は各スイング後にユーザーに表示することができる。したがって、ユーザーは、自身のスイング属性、スイング結果、及び／又は他の情報を自身の以前のスイング及び／又はプロゴルファーの以前のスイングと視覚的に比較することができる。そのような例では、ユーザーが、当該ユーザー及び／又はプロゴルファーが以前記録されたスイングを行った場所から１０フィート等の所定の距離内にいるときに、システム３０５は、ユーザーが自身のスイングを見たいか否か、及び／又は自身のスイングを自身の以前のスイング若しくはプロゴルファーの以前のスイングと比較したいか否かをユーザーに問い合わせることができ、及び／又はユーザーに自動的に提示することができる。
【００６３】
別の態様では、図３に示すシステム３０５は、例えば、第１のウェアラブル装置３８０が、モニター装置（複数の場合もある）及び／又はモバイル装置３７０、及び／又は第１のウェアラブル装置３８０及び／又は第２のウェアラブル装置３０１によって送信された運動データに少なくとも部分的に基づいてユーザーのスイング（又はキック、パンチ等の他の運動）プロファイルを学習することを可能にする学習機能を用いて構成することができ、学習が完了すると、ユーザーがウェアラブル装置（複数の場合もある）のみを用いることに依拠することを潜在的に可能にする。この態様では、システム３０５は、スポーツ器具３００の運動に対応する第１のデータ３５５を送信するように構成されたモニター装置３２５、３３５、３４０、及び／又は３５０を備える当該スポーツ器具３００と、スポーツ器具３００のユーザー又はユーザーの身体部分と関連付けられた第１のウェアラブル装置３８０とを備えることができる。第１のウェアラブル装置３８０は、例えば、上記ユーザー若しくはユーザーの身体部分に取り付けられるか、上記ユーザー若しくはユーザーの身体部分によって装着されるか、又はそれ以外に上記ユーザー若しくはユーザーの身体部分の運動、ポジション、若しくはロケーションを監視する。第１のウェアラブル装置３８０は、ユーザーが装着することができるが、ユーザーの運動、ポジション、又はロケーションをウェアラブル装置３８０上に表示するためにリモート監視する装置を備えることもできるし、この装置と関連付けることもできる。ウェアラブル装置は、第１のデータ３５５を受信するとともにユーザーの運動に対応する第２のデータを取得するように構成することができる。この第１のデータ３５５は、ユーザーがスポーツ器具３００を１回又は複数回スイングすることに対応した、モニター装置３２５、３３５、３４０、及び／又は３５０のうちの１つ又は複数によって取得されたデータとすることができる。この第１のデータ３５５は、このため、スポーツ器具３００のユーザーによる平均スイングを表すことができる集約されたデータを含むことができる。そのようなデータを取得して送信するモニター装置は、スポーツ器具３００自体と関連付けられているので、第１のウェアラブル装置３８０に収容されているように、インパクト点からより遠隔のモニター装置よりもユーザーのスイングプロファイルのより正確な表示を表すことができる。ゴルフクラブを構成するスポーツ器具３００の場合、モニター装置を配置する最良の場所のうちの１つは、例えば、モニター装置３４０のようにゴルフクラブヘッド内であるか又はゴルフクラブヘッドに近接している。なぜならば、そのような位置はインパクト点により近接しているからである。もちろん、モニター装置３２５と同様のシャフトの下部、モニター装置３５０と同様のシャフトの中央部、及びモニター装置３３５と同様のグリップ領域内等の他の位置も可能である。
【００６４】
ユーザーの運動に対応する第２のデータは、例えば、線形加速度データを生成して送信することが可能な３軸加速度計と、角速度データを生成して送信することが可能な３軸ジャイロスコープと、これらの加速度計及びジャイロスコープからデータを受信してこれらのデータを処理することが可能な第１のマイクロプロセッサと、このマイクロプロセッサが処理されたデータを記憶する第１のコンピューターメモリとのうちの１つ、複数、又はそれらの全てを備えることができるモニター装置を用いて、例えば第１のウェアラブル装置３８０を構成することによって取得することができる。第１のコンピューターメモリからの処理されたデータを送信する任意選択の無線送信機は、この態様では必要ではないが、それでも設けることもできる。ＭＥＭＳ（微小電気機械システム）技術を上記加速度計及び上記ジャイロスコープに用いることができる。第１のウェアラブル装置３８０内のモニター装置は、例えば、電子コンポーネント３８８のうちの１つをバンド３８２内に備えることもできるし、電子コンポーネント３８９をポータブル電子装置３８４内に備えることもでき、電池又は他の適した電源によって電力供給を受けることができる。
【００６５】
第１のウェアラブル装置３８０、第２のウェアラブル装置３０１、モバイル装置３７０、及び／又はスポーツ器具３００自体は、学習モジュールを用いて更に構成することができ、この学習モジュールは、例えば、電子コンポーネント３８８及び／又は３８９を備えることができ、第１のデータを、ユーザーの運動に対応する第２のデータと相関させ及び／又は第２のデータを用いて較正して、ユーザーの運動に少なくとも部分的に基づいてスポーツ器具３００の運動の近似を含む第３のデータを生成するように構成することができる。例えば、ユーザーは、７番アイアンを用いて４回のスイングを行うことができ、スイングごとに次第にスイングスピードを上げて、時速４３マイル、４８マイル、５３マイル、及び５６マイルのクラブヘッドスピードを生成するようにアドバイスを受けることができる。これらのクラブヘッドスピードは、システム、例えば、７番アイアンに取り付けられたモニター装置３５０によって記録することができる。一方、第１のウェアラブル装置３８０と関連付けられたモニター装置は、７番アイアンの同じ４回のスイングに基づいて、それぞれ時速３１マイル、３７マイル、４３マイル、及び５０マイルのみのスイングスピードを記録することができる。なぜならば、第１のウェアラブル装置３８０が取り付けられ、したがって、この第１のウェアラブル装置と関連付けられたモニター装置が取り付けられたユーザーの手首は、一般に、インパクト点においてクラブヘッドよりも低速で移動するからである。学習モジュールは、これらの複数のデータ点を相関させて、図４に概略で示すように、ユーザーの手首のスイングスピードとクラブヘッドスピードとの予測関係を得るように構成することができる。そのようなデータは、４つの代表的なユーザーのスイングスピードの範囲の上方及び下方並びにそれらの間の全ての点において外挿して、任意のユーザー（例えば、手首又は手）のスイングスピードの予測クラブヘッドスピードを得ることができる。加えて、システム３０５が２つ以上のウェアラブル装置を備える１つの態様では、各ウェアラブル装置を用いて、ユーザーにおける各ウェアラブル装置の位置に応じた追加の予測関係を作成することができる。例えば、第２のウェアラブル装置がシャツである場合、学習モジュールは、第１のウェアラブル装置３８０からのデータ点に加えて、ユーザーの胴のスピードに関係した複数の追加のデータ点を相関させて、クラブヘッドスピードの予測関係を得るように構成することができる。
【００６６】
ここで、例えば、第１のウェアラブル装置３８０によってユーザーの手首又は手において測定されるユーザーのスイングスピードは、ユーザーのスイングスピードが同じである場合、クラブの長さが長くなるにつれて、一般に、より高速のクラブヘッドスピードを生成することに留意すべきである。これは、図４に概略で例示されている。図４は、ユーザーの手首の任意の所与のスイングスピードにおいて、そのスピードとクラブヘッドのスピードとの間の差が、例えば、ドライバークラブの方がそれよりも短い７番アイアン等のクラブよりも大きいことを示している。この態様では、用いられている特定のクラブについてのユーザーのスイング（例えば、手首）スピードとクラブヘッドスピードとの間の適切な相関を行うことができるように、本明細書に開示された方法の一部分として、ゴルファーがどのクラブを用いているのかを、スポーツ器具と関連付けられた学習モジュール、ウェアラブル装置、モバイル装置、及び／又はモニター装置に伝達することができるＲＦＩＤチップ又はＲＦＩＤタグを用いてユーザーのあらゆるクラブを構成することが望ましい場合がある。学習モジュール（図示せず）は、例えば、ウェアラブル装置３８０、モバイル装置３７０、及び／又はモニター装置３２５等の１つ又は複数の装置内に分散させてそこに基礎を置くことができる。学習モジュール（図示せず）は、ウェアラブル装置３８０、モバイル装置３７０、及び／又はモニター装置３２５等の他の装置と通信接続されたスタンドアローン装置とすることができる。
【００６７】
本開示の態様のうちの１つに関してユーザーの手首（又は手）のスピード及びクラブヘッドスピードを論述してきたが、ユーザーの運動に基づいてスポーツ器具の運動を近似したものを生成するために、ウェアラブル装置又はウェアラブル装置と関連付けられたモバイル装置が「学習」することを可能にする相関的な態様は、ユーザーの運動に対するスポーツ器具の運動の任意の態様に適用することができることが理解されるべきである。別の例として、本システムは、スポーツ器具と関連付けられたモニター装置からの第１のスイングデータと、例えば、ユーザーによって装着されている少なくとも１つのウェアラブル装置によって求められたユーザーの運動と関連付けられた第２のスイングデータとを取得することができる。本システムは、第１のスイングデータ及び第２のスイングデータを相関させて、ウェアラブル装置上に表示することができる第３のスイングデータを生成することができる。この例では、スイングデータは、スイングアーク、スイングプレーン、アタック角等のゴルファーのスイングを示すデータを含むことができる。
【００６８】
そのような例は図５に示されている。この例では、全体が５０５で示されるシステムは、例えば、ゴルフクラブのヘッド５１０内に位置決めされたモニター装置５４０を備えるゴルフクラブ等のスポーツ器具５００を備えることができる。前述したように、モニター装置５４０は、モバイル装置（図示せず）及び／又は全体が５８０で示されるウェアラブル装置（複数の場合もある）のうちの１つ又は複数と通信することができる。図示するように、モニター装置５４０は、全体が５２０で示される第１のスイングデータを生成することができる。この第１のスイングデータは、例えば、バックスイングスイング軌道５２５、ダウンスイングスイング軌道５３０、及びフォロースルースイング軌道５３５を含むことができる。同様に、ユーザーと関連付けることができるウェアラブル装置５８０を用いて、破線で示す、全体が５２０Ａで示される第２のスイングデータを生成することができる。この第２のスイングデータは、例えば、バックスイングスイング軌道５２５Ａ、ダウンスイング軌道５３０Ａ、及びフォロースルースイング軌道５３５Ａを含むことができる。これらの全ては、ウェアラブル装置のスイング軌道を示すことができ、このため、ウェアラブル装置が固定されているユーザーの手首又は手（又は他の身体部分）のスイング軌道を示すことができる。
【００６９】
更に図示するように、第１のスイングデータ５２０及び第２のスイングデータ５２０Ａの双方は、星印５５０、５５１、５５２、５５３、５５４、５５５、及び５５０Ａ、５５１Ａ、５５２Ａ、５５３Ａ、５５４Ａ、５５５Ａとしてそれぞれ示される複数のデータ点を含むことができる。これらのデータは、スイングの所定の位置において取得することができる。そのようなデータ点は、瞬間速度、瞬間空間位置、瞬間加速度、瞬間アタック角等のうちの１つ又は複数を含む運動固有データを含むことができる。この例では、データ点５５０、５５０Ａは、バックスイングの近似的に中点において取得されたデータを含み、データ点５５１、５５１Ａは、スイングの近似的に頂点（又は終点）において取得されたデータを含み、データ点５５２、５５２Ａは、ダウンスイングの近似的に中点において取得されたデータを含み、データ点５５３、５５３Ａは、スポーツ器具５００とゴルフボール等のスポーツ物体との近似的にインパクト点において取得されたデータを含み、データ点５５４、５５４Ａは、フォロースルーの近似的に中点において取得されたデータを含み、データ点５５５、５５５Ａは、それぞれスポーツ器具５００及びウェアラブル装置５８０のスイングの近似的に完了時に取得されたデータを含む。データ取得のためのスイング中の他の位置、及び追加のデータ取得又は上記よりも少ないデータ取得ももちろん可能である。
【００７０】
第１のデータ及び第２のデータが取得されると、例えば、複数のスイング中に得られる同様のデータを平均することによって、それらのデータを処理することができる。モニター装置５４０を用いることなく、逆に、ウェアラブル装置５８０からのスイングデータのみに依拠して、スポーツ器具５００、例えばゴルフクラブヘッド５１０のスイングデータの予測値を提供するために、第１のデータ及び第２のデータを相関させ及び／又は較正することもできる。
【００７１】
スポーツ器具の運動を、ユーザーによって装着されるウェアラブル装置によって表されるようなユーザーの運動と相関させるのに用いられる学習モジュールによって達成される「学習」は、理想的には個々のユーザーごとに行われるべきである。一例としてゴルフを用いると、各ユーザーは、異なる持ち手位置でクラブをグリップする傾向、異なるクラブを異なる持ち手位置でグリップする傾向を有する場合もあるし、個人の手若しくは手首のスピード又は他の運動がクラブヘッドスピード又は他の運動にどのように相関するのかに影響を与える他の特質を有する場合もある。
【００７２】
学習モジュールによって達成される「学習」は、人間のユーザーを用いることなく行うことができることにも留意すべきである。例えば、既知であるように、ゴルフクラブ製造業者は、通常、ゴルフ用具のロボット試験に頼っている。そのようなロボットは、理想的なユーザーの手首又は手のスピード（又は他の運動）を、任意の範囲の手首のスピード、運動、及びクラブの長さのクラブヘッドスピード（又は他の運動）と相関させるようにセンサー及びモニターを用いて構成することができる。そのような取得データは、例えば、各クラブのグリップ内に配置されたＲＦＩＤチップ又は他のデータ記憶装置内にインポートすることができ、それによって、このクラブは、特定のクラブが用いられていること、及びユーザーの手首のスピード又は他の運動データ（例えば、ウェアラブル装置によって検出されたもの）がそのゴルフクラブの所定のクラブヘッドスピード又は他の運動データに変換されることを、例えば、当該クラブのユーザーと関連付けられたウェアラブル装置と通信することが可能になる。
【００７３】
図６及び以下の検討は、本明細書において開示される方法及びシステム、及び／又はその一部が実施される場合がある適切なコンピューティングシステムの簡潔な概要を提供することを意図している。必須ではないが、本明細書において開示される方法及びシステムは、コンピューティングシステムによって実行される、プログラムモジュール等のコンピューター実行可能命令の一般的な状況において説明される。一般的に、プログラムモジュールは、特定のタスクを実行するか、又は特定の抽象データ型を実現するルーチン、プログラム、オブジェクト、コンポーネント、データ構造等を含む。本明細書において開示される方法及びシステム又はその一部は、クライアントワークステーション、サーバー、ハンドヘルド装置、マルチプロセッサシステム、マイクロプロセッサに基づくか、又はプログラム可能な家庭用電化製品、ネットワークＰＣ、ミニコンピューター、メインフレームコンピューター等を含む、コンピューターシステム構成で実施できることは理解されたい。それらの方法及びシステムは、通信ネットワークを通してリンクされるリモート処理装置によってタスクが実行される分散コンピューティング環境において実施することもできる。分散コンピューティング環境では、プログラムモジュールは、ローカルメモリ記憶装置内及びリモートメモリ記憶装置内の両方に位置することができる。
【００７４】
図６は、本明細書において開示される方法及びシステムの態様又はその一部を組み込むことができる汎用コンピューターシステムを表すブロック図である。数ある装置の中でも、モニター装置（例えば、モニター装置３２５、３３０、３４０及び３５０等）、モバイル装置３７０、第１のウェアラブル装置３８０及び／又はスポーツ器具３９０が、本明細書において説明されるコンピューティング装置１８２０のコンポーネントのうちの１つ又は複数を含むことができる。図示されるように、例示的な汎用コンピューティングシステムは、処理ユニット１８２１と、システムメモリ１８２２と、システムメモリを含む種々のシステムコンポーネントを処理ユニット１８２１に結合するシステムバス１８２３とを含む、コンピューター１８２０等を含む。システムバス１８２３は、メモリバス又はメモリコントローラと、周辺機器用バスと、種々のバスアーキテクチャのうちの任意のものを用いるローカルバスとを含む、幾つかのタイプのバス構造のうちの任意のものとすることができる。システムメモリは、リードオンリーメモリ（ＲＯＭ）１８２４と、ランダムアクセスメモリ（ＲＡＭ）１８２５とを含む。起動中等に、コンピューター１８２０内の要素間で情報を転送するのを助ける基本ルーチンを含む、基本入力／出力システム１８２６（ＢＩＯＳ）がＲＯＭ１８２４に記憶される。
【００７５】
コンピューター１８２０は、ハードディスク（図示せず）からの読出し及びハードディスクへの書込みのためのハードディスクドライブ１８２７と、取外し可能磁気ディスク１８２９からの読出し及び取外し可能磁気ディスクへの書込みのための磁気ディスクドライブ１８２８と、ＣＤ−ＲＯＭ又は他の光媒体等の取外し可能光ディスク１８３１からの読出し及び取外し可能光ディスクへの書込みのための光ディスクドライブ１８３０とを更に含むことができる。ハードディスクドライブ１８２７、磁気ディスクドライブ１８２８及び光ディスクドライブ１８３０はそれぞれ、ハードディスクドライブインターフェース１８３２、磁気ディスクドライブインターフェース１８３３及び光ディスクドライブインターフェース１８３４によってシステムバス１８２３に接続される。それらのドライブ及び関連するコンピューター可読媒体は、コンピューター１８２０のためのコンピューター可読命令、データ構造、プログラムモジュール及び他のデータの不揮発性記憶装置を提供する。本明細書において説明されるように、コンピューター可読媒体は製品であり、それゆえ、一過性の信号ではない。
【００７６】
本明細書において説明される例示的な環境は、ハードディスク、取外し可能磁気ディスク１８２９及び取外し可能光ディスク１８３１を利用するが、例示的な動作環境において、コンピューターによってアクセス可能であるデータを記憶することができる他のタイプのコンピューター可読媒体を用いることもできることは理解されたい。そのような他のタイプの媒体は、限定はしないが、磁気カセット、フラッシュメモリカード、デジタルビデオ又はバーサタイルディスク、ベルヌーイカートリッジ、ランダムアクセスメモリ（ＲＡＭ）、リードオンリーメモリ（ＲＯＭ）等を含む。
【００７７】
ハードディスク、磁気ディスク１８２９、光ディスク１８３１、ＲＯＭ１８２４又はＲＡＭ１８２５上に、オペレーティングシステム１８３５、１つ又は複数のアプリケーションプログラム１８３６、他のプログラムモジュール１８３７及びプログラムデータ１８３８を含む、幾つかのプログラムモジュールが記憶される場合がある。キーボード１８４０及びポインティング装置１８４２等の入力装置を通して、ユーザーがコンピューター１８２０にコマンド及び情報を入力することができる。他の入力装置（図示せず）が、マイクロフォン、ジョイスティック、ゲームパッド、サテライトディスク、スキャナー等を含むことができる。これらの入力装置及び他の入力装置は多くの場合に、システムバスに結合されるシリアルポートインターフェース１８４６を通して処理ユニット１８２１に接続されるが、パラレルポート、ゲームポート、又はユニバーサルシリアルバス（ＵＳＢ）等の他のインターフェースによって接続されてもよい。モニター１８４７又は他のタイプの表示装置も、ビデオアダプター１８４８等のインターフェースを介してシステムバス１８２３に接続される。モニター１８４７に加えて、コンピューターが、スピーカー及びプリンター等の他の周辺出力装置（図示せず）を含むことができる。モニター１８４７又は同様のディスプレイ（例えば、ディスプレイ３８６）は、スポーツ器具の動作と関連付けられたデータ及び／又はスポーツ器具の動作と関連付けられたデータに基づく出力を表示することができる。複数のスポーツ器具（例えば、第１の器具及び第１の器具によってインパクトされた第２の器具）からのグラフィカルデータ及び／又は数値データをモニター１８４７上に示すことができる。図６の例示的なシステムは、ホストアダプター１８５５、スモールコンピューターシステムインターフェース（ＳＣＳＩ）バス１８５６、及びＳＣＳＩバス１８５６に接続される外部記憶装置１８６２も含む。
【００７８】
コンピューター１８２０は、リモートコンピューター１８４９（すなわち、モニター装置２３０）等の１つ又は複数のリモートコンピューターへの論理接続を用いてネットワーク化された環境において動作することができる。リモートコンピューター１８４９は、パーソナルコンピューター、サーバー、ルーター、ネットワークＰＣ、ピア装置又は他の共通ネットワークノードとすることができ、コンピューター１８２０に関して上記で説明された要素のうちの幾つか又は全てを含むことができるが、図６には、メモリ記憶装置１８５０のみが示されている。図６に示される論理接続は、ローカルエリアネットワーク（ＬＡＮ）１８５１と、ワイドエリアネットワーク（ＷＡＮ）１８５２とを含む。そのようなネットワーク化環境は、事務所、企業規模のコンピューターネットワーク、イントラネット及びインターネットでは一般的である。
【００７９】
コンピューター１８２０は、ＬＡＮネットワーク化環境において用いられるとき、ネットワークインターフェース又はアダプター１８５３を通してＬＡＮ１８５１に接続される。コンピューター１８２０は、ＷＡＮネットワーク化環境において用いられるとき、インターネット等のワイドエリアネットワーク１８５２を介して通信を確立するためのモデム１８５４又は他の手段を含むことができる。モデム１８５４は、内部又は外部にあることができ、シリアルポートインターフェース１８４６を介してシステムバス１８２３に接続される。ネットワーク化された環境では、コンピューター１８２０に対して示されるプログラムモジュール、又はその一部が、リモートメモリ記憶装置に記憶される場合がある。図示されるネットワーク接続は例示であり、コンピューター間に通信リンクを確立する他の手段が用いられる場合もあることは理解されよう。
【００８０】
コンピューター１８２０は、種々のコンピューター可読記憶媒体を含むことができる。コンピューター可読記憶媒体は、コンピューター１８２０によってアクセスすることができる任意の市販の媒体とすることができ、揮発性媒体及び不揮発性媒体の両方、並びに取外し可能媒体及び非取外し可能媒体の両方を含む。例として、限定はしないが、コンピューター可読媒体は、コンピューター記憶媒体及び通信媒体を含むことができる。コンピューター記憶媒体は、コンピューター可読命令、データ構造、プログラムモジュール又は他のデータ等の情報を記憶するための任意の方法又は技法において実現される揮発性媒体及び不揮発性媒体の両方、並びに取外し可能媒体及び非取外し可能媒体の両方を含む。コンピューター記憶媒体は、限定はしないが、ＲＡＭ、ＲＯＭ、ＥＥＰＲＯＭ、フラッシュメモリ若しくは他のメモリ技術、ＣＤ−ＲＯＭ、デジタルバーサタイルディスク（ＤＶＤ）若しくは他の光ディスク記憶装置、磁気カセット、磁気テープ、磁気ディスクストレージ若しくは他の磁気記憶装置、又は所望の情報を記憶するために用いることができ、コンピューター１８２０によってアクセスすることができる任意の他の媒体を含む。上記のうちの任意のものの組み合わせも、本明細書において説明される方法及びシステムを実現するためのソースコードを記憶するために用いることができるコンピューター可読媒体の範囲に含まれるべきである。本明細書において開示される特徴又は要素の任意の組み合わせを１つ又は複数の実施形態において用いることができる。
【００８１】
図７は、本開示のシステム及び装置によって用いられる方法を示すフローチャート図である。フローチャート７００によって示される手法及び技法は、本開示の少なくとも１つの実施態様を説明するのに十分なものであるが、本開示の他の実施態様は、フローチャート７００に示すものと異なる手法及び技法を利用することができる。さらに、フローチャート７００は、図３に関して説明されているが、開示された概念は、図３に関して図示及び説明された特定の特徴によって限定されることを意図していない。さらに、本出願における開示された特徴の論述を不明瞭にしないために、図７に示す方法に関して、特定の詳細及び特徴はフローチャート７００から除かれていることに留意されたい。
【００８２】
フローチャート７００は、（動作７１０において）スポーツ器具の運動を示す第１のデータを取得することを含む。例えば、データ３５１、３５３、３５５、及び／又は３５７が、モニター装置３２５、３３５、３４０、及び３５０のうちの少なくとも１つを用いてスポーツ器具３００によって取得される。これらのデータ３５１、３５３、３５５、及び／又は３５７は、その後、第１のウェアラブル装置３８０及びモバイル装置３７０のうちの少なくとも一方に送信することができる。モバイル装置３７０は、その後、データ３５１、３５３、３５５、及び／又は３５７を、例えば、送信データ３５２として第１のウェアラブル装置３８０に送信することができる。
【００８３】
フローチャート７００は、（動作７２０において）スポーツ器具のユーザーの運動を示す第２のデータを取得することを含む。例えば、第１のウェアラブル装置３８０の電気コンポーネント３８８及び／又は３８９によって取得されたデータ３９７は、ポータブル電子装置３８４によって取得され、モニター装置３９５によって取得されたデータ３９９も、モバイル装置３７０及び／又は第１のウェアラブル装置３８０によって取得される。電気コンポーネント３８８及び／又は３８９によって取得されたデータ３９７、及び／又はモニター装置３９５によって取得されたデータ３９９は、その後、モバイル装置３７０に送信することができ、及び／又は第１のウェアラブル装置３８０上に記憶することができる。幾つかの実施態様では、第１のウェアラブル装置３８０は、スポーツ器具３００からのデータ３５１、３５３、３５５、及び／又は３５７並びに第２のウェアラブル装置３０１からのデータ３９９を受信し、電気コンポーネント３８８及び／又は３８９によって取得されたデータ３９７に加えて、データ３５１、３５３、３９９、３５５、及び／又は３５７を記憶することができる。ただし、他の実施態様では、モバイル装置３７０は、電気コンポーネント３８８及び／又は３８９によって取得されたデータ３９７に加えてデータ３５１、３５３、３５５、３９９、及び／又は３５７をともに受信して記憶することができる。電気コンポーネント３８８及び／又は３８９によって取得されたデータ３９７に加えてデータ３５１、３５３、３５５、及び／又は３５７は、ＲＦＩＤ、Ｂｌｕｅｔｏｏｔｈ（登録商標）、ＺｉｇＢｅｅ、又は当該技術分野において知られているような任意の適した方法を用いてモバイル装置３７０、第１のウェアラブル装置３８０、及び第２のウェアラブル装置３０１の間で共有することができる。
【００８４】
上記で論述したように、本開示の幾つかの態様には、任意の数のウェアラブル装置が存在することができる。そのような実施態様では、第２のデータを取得することは、他のウェアラブル装置に加えて、第１のウェアラブル装置３８０及び第２のウェアラブル装置３０１からデータを取得することを含むことができる。例えば、それぞれ腕時計及びグローブとすることができる第１のウェアラブル装置３８０及び第２のウェアラブル装置３０１に加えて、ユーザーは、帽子、シャツ、及びシューズのうちの少なくとも１つを有することもでき、これらはそれぞれ、データを取得するとともに、モバイル装置３７０と、第１のウェアラブル装置３８０を含む他のウェアラブル装置のうちの任意のものとに対してデータを送受信することが可能なモニター装置等の電気コンポーネントを備える。ここで、図７では、動作７１０は、動作７２０に先行するものとして示されているが、動作７２０が動作７１０に先行すること及び／又は動作７１０及び７２０が同時に行われることが可能であり、本開示の範囲内にあることに留意すべきである。フローチャート７００は、（動作７３０において）第１のデータを第２のデータに相関させて、ユーザーの運動に少なくとも部分的に基づき、１つの態様ではユーザーの運動にのみ基づいてスポーツ器具の運動を示す第３のデータを生成することを含む。例えば、モバイル装置３７０及び／又は第１のウェアラブル装置３８０は、ウェアラブル装置３８０によって取得されたユーザーの手首の運動及び／又はウェアラブル装置３０１によって取得されたユーザーの手の運動等のデータ３５２、３９７、３９９、３５３、３５１、３５５、及び／又は３５７に基づいてスポーツ器具３００の運動を示す第３のデータを生成することができる。第１のデータを第２のデータに相関させることは、学習モジュールを介して第１のデータ及び第２のデータを処理して第３のデータを生成することを含むことができる。この第３のデータは、ユーザーの運動にのみ基づく予測データを含むことができる。このユーザーの運動は、例えば、スポーツ器具の運動と、ユーザーの複数の運動を含む記憶データと、ユーザーの運動を含むリアルタイムデータとに基づくユーザーの予測運動のうちの１つ又は複数とすることができる。
【００８５】
フローチャート７００は、（動作７４０において）第３のデータを、ウェアラブル装置及びモバイル装置のうちの少なくとも一方と関連付けられたディスプレイ上に表示可能データとして表示することを含む。例えば、表示可能データ３５３が、ディスプレイ３８６及び／又はモバイル装置３７０と関連付けられたディスプレイ上に表示される。
【００８６】
図に示されるような、本開示の主題の好ましい実施形態を説明する際に、明確にするために、特定の用語が利用される。しかしながら、特許請求される主題は、そのように選択された特定の用語に限定されることを意図するものではなく、それぞれの特定の要素は、同様の目的を成し遂げるために同じように動作する全ての技術的均等物を含むことは理解されたい。「相関させる」という用語の使用は、例示的なものであり、本明細書では、データに基づいて関係を求める他の方法も考慮されている。本明細書で論述した概念はスポーツ器具以外の器具にも適用可能であることが本明細書で考慮されている。
【００８７】
この書面による説明は複数の例を用いて、本発明を開示し、更には、任意の装置又はシステムを作製し、使用すること、及び任意の組み込まれた方法を実行することを含めて、任意の当業者が本発明を実施することも可能にする。本発明の特許可能な範囲は、特許請求の範囲によって規定され、当業者が思いつく他の例も含むことができる。そのような他の例は、それらの例が特許請求の範囲の文字通りの文言と異ならない構造的要素を有する場合には、又はそれらの例が特許請求の範囲の文字通りの文言と実質的に違わない同等の構造的要素を含む場合には、特許請求の範囲にあることを意図している。
【図１】
0006720594.tif 000002
【図２】
0006720594.tif 000003
【図３】
0006720594.tif 000004
【図４】
0006720594.tif 000005
【図５】
0006720594.tif 000006
【図６】
0006720594.tif 000007
【図７】
0006720594.tif 000008